(57)【要約】【課題】面付け工程において、印刷機仕様に影響されない単位でページデータのレイアウトを行い製版面付けデータを生成する製版面付け工程と、前記製版面付けデータをレイアウトして刷版面付けデータを生成する刷版面付け工程と、２つの工程で面付けを行うことがある場合、後工程でページデータの修正が必要になったとき、前工程に戻らなくて済むようにする。【解決手段】製版面付け工程で作成した台の情報を刷版面付け工程で利用するようにした自動面付け方法。【選択図】  図１
2005231193.tif 000002
【特許請求の範囲】
【請求項１】
版に割り振られるページの順番、各ページの天地などの複数ページ分のページデータを面付けして一枚の版を作るために必要なデータを入力することによって製版フォーマットデータを設定する工程と、
少なくとも印刷物の総ページ数データおよび各製版あたりの面付け数データをもとに、台割りデータを作成する台割り設定工程と、
刷版フォーマットデータを設定する工程と、
少なくとも印刷物の総台数データおよび各刷版あたりの割り付け数データをもとに、大貼りデータを作成する大貼り設定工程と、
予め作成されているページデータを割り付けて刷版に必要な刷版情報を作成する刷版情報設定工程とを有してなるページ面付け方法。
【請求項２】
請求項１記載のページ面付け方法において、複数の印刷物の製版フォーマットデータと台割りデータをもとに、複数の版にレイアウトして刷版情報を作成するページ面付け方法。
【発明の詳細な説明】
【技術分野】
【０００１】
本発明は、印刷物の印刷に使用する複数ページをレイアウトして面付け刷版を作成するページ面付け方法に関する。
【背景技術】
【０００２】
雑誌、単行本などの印刷物（本）を製作する工程の概略は、図２のようになる。すなわち、
（１）ページデータを作成する。
（２）印刷機に合わせてページデータの面付けレイアウトを作成する。
（３）印刷のための台割り表を作成する。
（４）台割り表を基づいて複数のページデータを面付けして刷版データを作成する。
（５）刷版データから印刷版を作成する。
（６）印刷版を用紙に印刷する。
（７）印刷された用紙を折りたたみ、折丁を作成する。
（８）折丁を綴じ、本を作成する。
【０００３】
この工程では、印刷機が決定されないと、（２）の工程以降を行うことができない。そのため、レイアウトは印刷機の仕様によって異なるため、印刷機仕様に影響されない単位でページデータのレイアウトを行い製版面付けデータを生成する製版面付け工程と、前記製版面付けデータをレイアウトして刷版面付けデータを生成する刷版面付け工程と、２つの工程で面付けを行うことがある（例えば、特許文献１参照。）。
【特許文献１】特開２００２−２８１２７６号公報
【特許文献２】特開平６−３８０２号公報
【発明の開示】
【発明が解決しようとする課題】
【０００４】
ところが、２つの工程で面付けを行ったとき、２つ目の刷版面付け工程以降で、ページデータの修正を行う必要性が生じることがある。このような場合には、最初の製版面付け工程まで戻り、修正されたページデータを用いて、再び製版フォーマットデータに基づいて製版面付けデータを生成し、その製版面付けデータをレイアウトして刷版面付けデータを生成する刷版面付け工程をしなければならない。工程の後戻りにより、多くの時間を費やし、また、トラブルも発生しやすくなる。また、中間ファイルとなる製版面付けデータを生成するため、コンピュータの資源を多く費やす。本発明はかかる課題を解決するためになされたものであり、その目的は本来の面付け工程処理時間を短縮し、その処理機能を高めることにある。
【課題を解決するための手段】
【０００５】
上記の課題は、下記の本発明によって解決される。即ち本発明の請求項１に係るページ面付け方法は、製版面付けデータではなく台割りデータに登録された台の情報をレイアウトして、ページデータを面付けした刷版データを作成することにある。
【０００６】
また本発明の請求項２に係るページ面付け方法は、複数の台割りデータに登録された台の情報を合わせてレイアウトして、複数の印刷物のページデータを面付けした刷版データを作成することにある。
【発明の効果】
【０００７】
本発明によれば、製版面付けデータを使用しないで、２つ目の刷版面付け工程でページデータを面付けするため、作業時間が短縮でき、後工程でのページデータの修正が容易になる。また、中間ファイルとなる製版面付けデータを生成しないため、コンピュータの資源を無駄に使わない。
【発明を実施するための最良の形態】
【０００８】
つぎに、本発明を実施するための最良の形態を説明する。印刷物は、他の生産物と同様にその印刷機の仕様に基づいて生産される。その仕様をデータ処理方法によって利用可能なようにデータ化したものが仕様データである。本発明の自動面付け方法は、その仕様データに基づいて面付けを行なう方法である。尚、その方法については、特許文献２等によってもとより周知である。
【０００９】
印刷機に適用する刷版データは、印刷機の仕様に左右される。印刷機の仕様は、版のサイズ、くわえ（方向、幅）、などの属性値を有する。この印刷機仕様が決定していなくても、面付け処理をある程度まで進めることができる。印刷機仕様が決定した後に、全く修正することなく使用できる範囲で面付け処理まで進めておくことができる。本発明においては、その範囲で進める面付け処理を製版面付け工程と呼び、その工程で生成されたページ面付けフォーマットデータを製版フォーマットデータと呼び、その処理で生成された台の情報を台割りデータと呼び、その処理で生成されたデータを製版面付けデータと呼ぶ。製版面付け工程の中で、その製版フォーマットデータを生成する工程を製版フォーマット設定工程と呼び、OLE_LINK1その台割りデータを生成する工程を台割り設定工程と呼びOLE_LINK1、その製版面付けデータを生成する工程を製版情報設定工程と呼ぶ。また、刷版（印刷版）と対応するデータを得る面付け処理を刷版面付け工程と呼び、その処理で生成された刷版レイアウトフォーマットデータを刷版フォーマットデータと呼び、その処理で生成された台の情報を大貼りデータと呼び、その処理で生成されたデータを刷版面付けデータと呼ぶ。刷版面付け工程の中で、その刷版フォーマットデータを生成する工程を刷版フォーマット設定工程と呼び、その大貼りデータを生成する工程を大貼り設定工程と呼び、その刷版面付けデータを生成する工程を刷版情報設定工程と呼ぶ。
【００１０】
図１において、製版面付け工程の中の製版フォーマット設定工程は、多ページ面付けに必要な各種データを入力することにより製版フォーマットデータを作成する工程である。多ページ面付けに必要な各種データとは、製版の幅方向および回転方向、ページの幅寸法、ページの縦方向寸法、ページ間の幅方向の「どぶ」、ページ間の縦方向の「どぶ」、トップマージン、左側マージンなどがあり、その他にページ外の各種マーク、例えば折り丁などのレジスターマーク、背丁、背標などがあり、また、製版に割り振られるページの順番、各ページの天地などがある。製版フォーマット設定工程では、これら各種データの入力により製版フォーマットを作成する。作成された製版フォーマットは、電子情報の形で製版フォーマットファイルに保存される。
【００１１】
図１において、製版面付け工程の中の台割り設定工程は、印刷物の総ページ数データと、印刷機の仕様に影響されない単位の面付け数データ（図１においては４ページ）と、必要に応じて綴じ方データを入力することにより、台ごとにページを割り振るための台割り表を作成する工程である。すなわち、総ページ数と各製版の面付け数データ（図１においては４ページ）によって総ページ数を印刷するのに必要な台数に対し、上記面付け数に基づき１つの製版に入るべきページ数を設定し、綴じ方によって定まる順番に従い、演算により求めた上記台数の範囲で台ごとに、上記設定されたページ数ずつページを割り振った台割り表を作成する。作成された台割り表は、電子情報の形で台割りファイルに保存される。
【００１２】
第２段階の処理である刷版面付け処理においては、４ページ単位の製版面付けから８ページ単位の刷版面付けデータを作成する。
【００１３】
図１において、刷版面付け工程の中の刷版フォーマット設定工程は、刷版面付けに必要な各種データを入力することにより刷版フォーマットを作成する工程である。刷版面付けに必要な各種データとは、刷版の幅方向および回転方向の寸法、製版データの幅寸法、製版データの縦方向寸法、製版データ間の幅方向の寸法、トップマージン、左側マージン、くわえ代などがあり、その他に製版データ外の各種アクセサリ、例えば色玉などがあり、また、刷版に割り振られる製版データの順番、各製版データの天地などがある。刷版フォーマット設定工程では、これら各種データの入力により刷版フォーマットを作成する。作成された刷版フォーマットは、電子情報の形で刷版フォーマットファイルに保存される。
【００１４】
図１において、刷版面付け工程の中の大貼り設定工程は、台割りデータと、製版フォーマットデータと、必要に応じて配置する順番データを入力することにより、製版面付けを割り振るための大貼り表を作成する工程である。すなわち、総製版数と刷版の製版面付け数データ（図１においては２面）によって総製版数を印刷するのに必要な刷版数に対し、上記製版数に基づき１つの刷版に入るべき製版数を設定し、順番に従い、演算により求めた上記刷版数の範囲で版ごとに、上記設定された製版数ずつ製版を割り振った大貼り表を作成する。作成された大貼り表は、電子情報の形で大貼りファイルに保存される。
【００１５】
図１において、刷版面付け工程の中の刷版情報設定工程は、製版フォーマット設定工程で生成された製版フォーマットファイルと、台割り設定工程で作成された台割りファイルと、刷版フォーマット設定工程で作成された刷版フォーマットファイルと、大貼り設定工程で作成された大貼りファイルと、テキストファイル形式のページデータは、刷版情報作成工程に付される。刷版情報作成工程では、製版フォーマットファイルと台割りファイルと刷版フォーマットファイルと大貼りファイルを参照しながら、製版フォーマットファイルと刷版フォーマットファイルに表われている番号を順番に割り付け、この割り付け順に従い、作成されているページデータを割り付け、刷版に必要な刷版情報を作成する。より具体的には、この工程で刷版面付けファイルが作成されるのである。そして、台割りファイルと大貼りファイルに表われている番号を上記面付けファイルに表われている番号順に配置するとともに、この番号順に従って上記ページデータを順に割り付ける。
【００１６】
本発明のページ面付け方法における上述の処理の工程の特徴点は、図３に示しすでに説明した従来のページ面付け処理の工程と対比させることにより、極めて明確になる。即ち、従来の面付け処理では、製版面付け工程の中の製版情報設定工程で、製版フォーマットファイルと台割りファイルを参照しながら、製版フォーマットファイルに表われている番号を順番に割り付け、この割り付け順に従い、作成されているページデータを割り付け、製版に必要な製版情報を作成する。より具体的には、この工程で製版面付けファイルが作成されるのである。そして、この生成された製版面付けファイルを刷版面付け工程の中の刷版情報設定工程で割り付ける。これに対して、本発明の面付け処理では、ページデータは刷版面付け工程の中の刷版情報設定工程で割り付ける。そのため、ページデータの修正は面付け処理の最後で行える。また、本発明ではこの従来技術で言う製版面付けファイルが不要となり、製版情報設定工程を設けることなくより効率的な面付け工程を可能とする。
【図面の簡単な説明】
【００１７】
【図１】本発明の面付け処理の工程の一例を示す絵図である。
【図２】印刷物を製作する工程を示す絵図である。
【図３】従来の面付け処理の工程の一例を示す絵図である。
【図１】
2005231193.tif 000003
【図２】
2005231193.tif 000004
【図３】
2005231193.tif 000005